(57)【要約】      （修正有）【課題】自転車ロックに発光機能を持たせる構造で実用機能を強化する自転車ロックの発光装置を提供する。【解決手段】主に自転車ロックの外ケース上に対応形状のプラスチック製ケース３０を設置し、該プラスチック製ケース中には制御回路板３５、数個のＬＥＤランプ３８、電池を具える制御回路板、振動スイッチ、押しボタンスイッチを設置し、前記プラスチック製ケースは必要に応じてあらゆる色を採用可能で、数個の係合フック３３を設置しロックと一体に結合され、ロックの正面に色彩豊かなプラスチックケースを形成する。こうして新規で独特な美観を具え、発光警告の効果をも達成する。【選択図】図２
0003107162.tif 000002
【実用新案登録請求の範囲】
【請求項１】
主にロックは外ケース、底ケース、ロックレバーにより組成し、
該外ケース、底ケースの設定位置にはロック頭部を具えロック芯を装置し、
該外ケース、底ケースの形状に対応するプラスチック製ケースを設置し、該プラスチック製ケース中には発光ユニットを設置し、
該プラスチック製ケースはロックの外ケースに嵌合し、ロックと一体に結合し、
該発光ユニットは制御回路板、数個のＬＥＤランプ、電池を具えた制御回路板、振動スイッチを含み、該プラスチック製ケースの押しボタンスイッチを露出し、前記制御回路板は前記プラスチック製ケースの突出カバー中に装置し、各ＬＥＤランプは前記制御回路板に電通し、該プラスチック製ケースの各穿孔に嵌設し、
前記構造は自転車ロックにおいて繰返し組立て及び分解が可能な発光装置で、自転車ロックに発光機能を持たせることを特徴とする自転車ロックの発光装置。
【請求項２】
前記ロックの外ケース上には各ＬＥＤランプ位置に対応し絶縁材料を設置し、前記ロック頭部には凹槽を設置し、該凹槽中にも絶縁材料を設置し発光ユニットの制御回路板を装置することを特徴とする請求項１記載の自転車ロックの発光装置。
【請求項３】
前記プラスチック製ケースには数個の穿孔を設置し、前記ＬＥＤランプを貫通させ前記ケース外に露出させ、或いは前記ＬＥＤランプを直接前記プラスチック製ケース?面に固定し、前記ケース外に露出しない構造とすることを特徴とする請求項１記載の自転車ロックの発光装置。
【考案の詳細な説明】
【技術分野】
【０００１】
本考案は自転車ロックの発光装置に関し、特に、発光の効果を形成することにより盗難者に対する警告を増進し、該プラスチック製ケースはプラスチックにより一体射出成型され、必要に応じて色と光透過可能な材製を採用可能で、色彩の変化により多様な美化効果を達成する自転車ロックの発光装置に係る。
【背景技術】
【０００２】
従来公知の自転車ロックは、例えば特許文献１に開示され、図１に示すように、一種の「馬蹄形(環状)」形態で、該構造は外ケース10、底ケース11により組成し、側辺にはスライド槽12を具え、弧状ロックレバー14の押しレバー15を貫通させ、その上端にはロック頭部13を具え、ロック芯を装置し、カギによりロックレバー14の開閉を制御するものである。
【特許文献１】特開２００２−２９５１００号公報
【考案の開示】
【考案が解決しようとする課題】
【０００３】
ところで、従来公知の自転車ロックの構造には以下の欠点があった。
すなわち、公知の自転車ロックはただ単にロックとしてカギを掛ける機能以外に、ランプ発光効果などの他の機能を全く具えていない。
本考案は上記構造の問題点を解決した自転車ロックの発光装置を提供するものである。
【課題を解決するための手段】
【０００４】
上記課題を解決するため、請求項１の考案は、主にロックは外ケース、底ケース、ロックレバーにより組成し、該外ケース、底ケースの設定位置にはロック頭部を具えロック芯を装置し、該外ケース、底ケースの形状に対応するプラスチック製ケースを設置し、該プラスチック製ケース中には発光ユニットを設置し、該プラスチック製ケースはロックの外ケースに嵌合し、ロックと一体に結合し、該発光ユニットは制御回路板、数個のＬＥＤランプ、電池を具えた制御回路板、振動スイッチを含み、該プラスチック製ケースの押しボタンスイッチを露出し、前記制御回路板は前記プラスチック製ケースの突出カバー中に装置し、各ＬＥＤランプは前記制御回路板に電通し、該プラスチック製ケースの各穿孔に嵌設し、前記構造は自転車ロックにおいて繰返し組立て及び分解が可能な発光装置で、自転車ロックに発光機能を持たせることを特徴とする自転車ロックの発光装置である。
請求項２の考案は、前記ロックの外ケース上には各ＬＥＤランプ位置に対応し絶縁材料を設置し、前記ロック頭部には凹槽を設置し、該凹槽中にも絶縁材料を設置し発光ユニットの制御回路板を装置することを特徴とする請求項１記載の自転車ロックの発光装置である。
請求項３の考案は、前記プラスチック製ケースには数個の穿孔を設置し、前記ＬＥＤランプを貫通させ前記ケース外に露出させ、或いは前記ＬＥＤランプを直接前記プラスチック製ケース?面に固定し、前記ケース外に露出しない構造とすることを特徴とする請求項１記載の自転車ロックの発光装置。
【考案の効果】
【０００５】
上記のように、本考案の発光機能により自転車に発光警告の効果を持たせることができ、すなわち安全を増進可能である。また点滅発光により、発光の効果を形成することにより盗難者に対する警告を増進し、プラスチックの一体射出成型により、必要に応じて色と光透過可能な材製を採用可能で、色彩の変化により多様な美化効果を達成でき、自転車は新規で独特な外観を有することとなり、美観とハイテク感を増進する効果をも具える。
【考案を実施するための最良の形態】
【０００６】
本考案の好適な実施例を図面に沿って説明する。
本考案の実施例において、ロックは主に図２、３、４に示すように、外ケース20、底ケース21、弧状ロックレバー24により組成する。
前記外ケース、底ケース20、21の設定位置はロック頭部23を具え、ロック芯を装置し、該外ケース20設定位置にはスライド槽22を具え、ロックレバー24の押しレバー25を露出させる。
前記外ケース、底ケース20、21形状に対応しプラスチック製ケース30を設置し、該プラスチック製ケース30中には発光ユニットを設置する。
前記プラスチック製ケース30はちょうどロックの外ケース20に嵌設し、その底部周辺には数個の係合フック33を設置し、ロックの底ケース21底部に嵌合し、ロックと結合し一体を形成する。また突出カバー31をロックのロック頭部23に対応し設置し、スライド槽32はロック外ケース20のスライド槽22に対応する。また数個の穿孔34を設置する。
前記発光ユニットは制御回路板35、数個のＬＥＤランプ38、電池を具える制御回路板35、振動スイッチ36、露出プラスチック製ケース30の押しボタンスイッチ37を含む。
前記制御回路板35は該プラスチック製ケース30突出カバー31中に装置し、各ＬＥＤランプ38は該制御回路板35に電通し、プラスチック製ケース30の各穿孔34に嵌組する。該ロック外ケース20上は各ＬＥＤランプ38位置に対応し絶縁塗料27を設置する。該ロック頭部23は凹槽26を設置し、該凹槽26中にも絶縁塗料27を設置し、発光ユニットの制御回路板35を装置する。本考案の絶縁塗料27は絶縁プラスチック製片を採用することもできる。
前記プラスチック製ケース30はプラスチックにより一体射出成型するため、必要に応じてあらゆる色のプラスチック材料を採用することができる。これにより自転車をロックする時、鮮やかな色彩の効果を形成可能で、各種色の自転車に合わせ、ロックも一種の装飾とすることができ、自転車の美観効果を増進することができる。
【０００７】
本考案の実施例の組合せにおいては、発光ユニットを該プラスチック製ケース30中に装置後、ロックの外ケース20に合わせ押さえれば、各係合フック33はロックの該底ケース21の底面に嵌合、定位され、こうしてロックと堅固に一体に結合される。また本考案の実施例のプラスチック製ケースとロックの組合せではネジによる螺合、接着剤による粘着を採用することもできる。
前記制御回路板35の電池を交換する時には、その中の一辺の係合フック33を開けば即取り外すことができる。
すなわち組立て、分解時に工具を必要とせず、また本考案は独立した個体であるため、組立て、分解が簡易で、使用者は必要に応じて組立て使用し、使用しない時には分解することができる。
また本考案の実施例のＬＥＤランプ38は該プラスチック製ケース30の?面において接着剤により粘着固定し、該プラスチック製ケース30に穿孔34を設置しない構造とすることもできる。
【０００８】
次に本考案の実施例の発光作用について説明する。
本考案の実施例は振動スイッチ36を設置し、センサーにより通電する。すなわち自転車の走行時(振動時)に設定時間毎に点滅発光と消灯を繰り返し、或いは連続発光を呈し、停止時には通電せず発光しない。
また本考案の実施例は押しボタンスイッチ37を設置し、1回押せば振動時に連続点滅発光、2回押せば一定の間隔毎の点滅発光、3回押せば通電せず発光しないなどと異なる発光動作を設定することができる。
【図面の簡単な説明】
【０００９】
【図１】公知構造の立体図である。
【図２】本考案の実施例の構造の立体分解図である。
【図３】本考案の実施例の構造の組合せ図である。
【図４】本考案の実施例の構造の立体外観局部断面図である。
【符号の説明】
【００１０】
10  外ケース
11  底ケース
12 スライド槽
13  ロック頭部
14  ロックレバー
15  押しレバー
10 外ケース
21  底ケース
22  スライド槽
23  ロック頭部
24  ロックレバー
25  押しレバー
26  凹槽
27  絶縁塗料
30 プラスチック製ケース
31  突出カバー
32 スライド槽
33  係合フック
34  穿孔
35  制御回路板
36  振動スイッチ
37  押しボタンスイッチ
38  ＬＥＤランプ
【図１】
0003107162.tif 000003
【図２】
0003107162.tif 000004
【図３】
0003107162.tif 000005
【図４】
0003107162.tif 000006